(57)【特許請求の範囲】
【請求項１】
支持部材に方立て材を固定するための方立て材固定構造であって、
取付面にアングル材が取り付けられた支持部材と、
前記支持部材の前記取付面に対して起立して固定される第１の面材、前記第１の面材と略直交して接続される第２の面材、及び前記第１の面材と前記第２の面材との接続部位近傍に形成され前記アングル材の起立片に嵌挿して前記第１の面材を前記支持部材の前記取付面に固定するスリット、を具備する固定金物と、
前記第２の面材に固定される方立て材と、
を有することを特徴とする方立て材固定構造。
【請求項２】
前記方立て材は壁パネル材のパラペット部の取付下地材、或いは開口部に設けられる腰壁パネル材の取付下地材であることを特徴とする請求項１に記載の方立て材固定構造。
【発明の詳細な説明】
【０００１】
【発明の属する技術分野】
本発明は、支持部材に方立て材を固定するための固定金物を用いて支持部材に方立て材を固定するための固定構造に関するものである。
【０００２】
【従来の技術】
従来、ＡＬＣパネル等の壁パネル材のパラペット部の取付下地材や、比較的開口幅が大きい開口部に設けられる腰壁パネルを取り付ける取付下地材を構成する方立て材では、該方立て材の上部が固定出来ない事情から図９及び図10に示すように、Ｈ型鋼からなる梁材51の上下フランジ51ａ，51ｂの各上面にピースアングル材52，53の水平片52ａ，52ａが夫々溶接して固定し、該ピースアングル材52，53の起立片52ｂ，53ｂにアングル材からなる方立て材54を夫々溶接して固定し、該方立て材54にパネル材55を取り付けている。
【０００３】
これにより、揺れ等により方立て材54に回転モーメントが発生しても該方立て材54が回転することが無く梁材51に強固に固定される。
【０００４】
【発明が解決しようとする課題】
しかしながら、前述の従来例では、Ｈ型鋼からなる梁材51の上下フランジ51ａ，51ｂの各上面にピースアングル材52，53を介して方立て材54が固定され、これにパネル材55が取り付けられるため梁材51の上フランジ51ａと下フランジ51ｂとの間の空間部がパネル材55によって閉塞される。
【０００５】
従って、例えば、スライド構法等でパネル材55に取り付けられた図示しないイナズマプレートを、梁材51の下フランジ51ｂに取り付けられたピースアングル材53に固定される図示しない通しアングル材等に係止してスライド可能に固定する場合には、パネル材55の裏側で且つ梁材51の上フランジ51ａと下フランジ51ｂとの間の空間部を利用してボルト止め等を行なうことが困難であった。
【０００６】
これを解決するために梁材51の下フランジ51ｂよりも更に下方に別途、アングル材等を追加してパネル材55に取り付けられた図示しないイナズマプレートを係止してスライド可能に固定することも出来るが部品点数が増大し、施工工数も増えるためコストアップを招くという問題がある。
【０００７】
また、通常、建物の屋根の梁材51には勾配が設けてあり、この勾配によりパネル材55の固定部位が梁材51の上フランジ51ａと下フランジ51ｂの間に配置されてしまうことが避けられない場合には施工に要する手間が著しく増加するという問題がある。
【０００８】
本発明は前記課題を解決するものであり、その目的とするところは、簡単な構成で支持部材に対して方立て材を強固に固定することが出来、該方立て材にパネルを取り付ける場合でも施工が容易に出来る方立て材固定金物を用いた方立て材固定構造を提供せんとするものである。
【０００９】
【課題を解決するための手段】
前記目的を達成するための本発明に係る方立て材固定構造は、支持部材に方立て材を固定するための方立て材固定構造であって、取付面にアングル材が取り付けられた支持部材と、前記支持部材の前記取付面に対して起立して固定される第１の面材、前記第１の面材と略直交して接続される第２の面材、及び前記第１の面材と前記第２の面材との接続部位近傍に形成され前記アングル材の起立片に嵌挿して前記第１の面材を前記支持部材の前記取付面に固定するスリット、を具備する固定金物と、前記第２の面材に固定される方立て材と、を有することを特徴とする。
【００１０】
上記構成によれば、方立て材が固定された方立て材固定金物の第２の面材と、支持部材の取付面とが、該第２の面材に略直交して接続された第１の面材を介在して固定されたことで簡単な構造で支持部材に対して方立て材を強固に固定することが出来る。特に支持部材に回転モーメントが作用した場合でも回転しないような十分な強度を得ることが出来る。
【００１１】
また、方立て材固定金物のスリットを支持部材の取付面に取り付けられたアングル材の起立片に嵌挿して固定したことで方立て材固定金物とアングル材とをより強固に固定することが出来る。また、方立て材固定金物の位置合せが容易である。
【００１２】
また、前記方立て材が壁パネル材のパラペット部の取付下地材、或いは開口部に設けられる腰壁パネル材の取付下地材として構成された場合には該方立て材にパネルを取り付ける場合の施工が容易に出来、支持部材が建物の屋根の梁材で勾配がある場合にも支障が無い。
【００１３】
【発明の実施の形態】
図により本発明に係る方立て材固定金物及びこれを用いた方立て材固定構造の一例として、方立て材が壁パネル材のパラペット部の取付下地材、或いは開口部に設けられる腰壁パネル材の取付下地材として構成される場合の一実施形態を具体的に説明する。先ず、図１〜図４を用いて方立て材が壁パネル材のパラペット部の取付下地材として構成される場合の第１実施形態の構成について説明する。
【００１４】
図１は本発明に係る方立て材固定金物を用いた方立て材固定構造の一例として、方立て材が壁パネル材のパラペット部の取付下地材として構成される場合の第１実施形態を示す断面説明図、図２は図１の平面説明図、図３は本発明に係る方立て材固定金物の第１実施形態の構成を示す斜視説明図、図４（ａ）〜（ｃ）は第１実施形態の方立て材固定金物の構成を示す正面図、側面図及び平面図である。
【００１５】
図１及び図２において、１は支持部材となるＨ型鋼からなる梁材であり、該梁材１の上フランジ１ａの上面には断面Ｌ字型の通しアングル材２の水平片２ａが溶接により固定されている。
【００１６】
梁材１に対して断面Ｌ字型のアングル材からなる方立て材３を固定する方立て材固定金物Ａは、図３及び図４に示すように、支持部材の取付面となる梁材１の上フランジ１ａの上面に対して起立して溶接により固定される第１の面材となる一対のリブ片４ａ，４ｂと、該リブ片４ａ，４ｂと略直交して接続され、方立て材３が溶接により固定される第２の面材となる方立て材固定片５とを有して構成されている。
【００１７】
本実施形態の方立て材固定金物Ａは方立て材固定片５が方形状で構成され、リブ片４ａ，４ｂが方形状の１角部を３角形に削除した略台形形状で構成されており、断面コ字型に接続されている。
【００１８】
リブ片４ａ，４ｂの方立て材固定片５との接続部位近傍には、通しアングル材２の起立片２ｂに嵌挿し得るスリット4a1，4b1が形成され、更にリブ片４ａ，４ｂの下辺側には該スリット4a1，4b1に連続して通しアングル材２の水平片２ａに嵌装し得る切欠部4a2，4b2が形成されている。
【００１９】
従って、図１に示すように、梁材１の上フランジ１ａの上面に固定された通しアングル材２の起立片２ｂに方立て材固定金物Ａのスリット4a1，4b1を嵌挿すると共に、通しアングル材２の水平片２ａに方立て材固定金物Ａの切欠部4a2，4b2を嵌装することで、方立て材固定金物Ａの方立て材固定片５及びリブ片４ａ，４ｂが通しアングル材２及び梁材１の上フランジ１ａの上面に当接し、各接合面部位を溶接により固定することが出来るように構成されている。
【００２０】
方立て材固定片５にはアングル材からなる方立て材３の一片が溶接により固定され、該方立て材３に種々の固定手段によりＡＬＣパネル等からなる壁パネル材６が固定される。
【００２１】
図１及び図２に示す方立て材３は、壁パネル材６のパラペット部の取付下地材として構成されており、方立て材３の上端部に断面Ｌ字型のアングル材からなる補強鋼材７が図示しない裏当て材等を介して溶接により固定されている。
【００２２】
本実施形態では、図２に示すように、壁パネル材６の内部横方向に埋設されたアンカー鋼棒８にＯボルト９が挿通されており、通しアングル材２の起立片２ｂにスライド可能に係合する自重受け金物10に壁パネル材６の下面を載置すると共に該壁パネル材６の下部に設けられたＯボルト９を該自重受け金物10に挿通してボルト止めし、補強鋼材７に溶接により固定された図示しない断面Ｚ字型のイナズマプレートに壁パネル材６の上部に設けられたＯボルト９をボルト止めして壁パネル材６を方立て材３にスライド可能に固定する。
【００２３】
上記構成によれば、方立て材３を梁材１の上フランジ１ａの上面の１箇所で取り付けても方立て材固定金物Ａにより十分な強度を得ることが出来る。また、方立て材３の取付部の構造が簡単であるため施工効率が向上し、コストダウンを図ることが出来る。
【００２４】
また、方立て材３の取付部位置が梁材１の上フランジ１ａの上面に位置することで梁材１の勾配の影響を受けずに取り付けることが出来る。
【００２５】
次に、図５を用いて方立て材が開口部に設けられる腰壁パネル材の取付下地材として構成される場合について説明する。図５は本発明に係る方立て材固定金物を用いた方立て材固定構造の一例として、方立て材が開口部に設けられる腰壁パネル材の取付下地材として構成される場合の一例を示す断面説明図である。尚、前記実施形態と同様に構成したものは同一の符号を付して説明を省略する。
【００２６】
図５において、支持部材となる梁材１の上フランジ１ａの上面に通しアングル材２の水平片２ａが溶接により固定され、方立て材固定金物Ａのスリット4a1，4b1を該通しアングル材２の起立片２ｂに嵌挿すると共に、通しアングル材２の水平片２ａに方立て材固定金物Ａの切欠部4a2，4b2を嵌装し、方立て材固定金物Ａの方立て材固定片５及びリブ片４ａ，４ｂと、通しアングル材２及び梁材１の上フランジ１ａの上面との各接合面部位を溶接により固定する。
【００２７】
そして、開口補強鋼材となる方立て材３の一片を方立て材固定片５に溶接して固定し、方立て材３の上端部に断面Ｌ字型のアングル材からなる補強鋼材７が裏当て材21を介して溶接により固定されている。そして、方立て材３に種々の固定手段によりＡＬＣパネル等からなる腰壁パネル材22が固定される。
【００２８】
尚、開口部23の上部のパネル材は従来構法により固定されるため説明を省略する。
【００２９】
次に、図６〜図８を用いて方立て材が壁パネル材のパラペット部の取付下地材として構成される場合の第２実施形態について説明する。図６は本発明に係る方立て材固定金物を用いた方立て材固定構造の一例として、方立て材が壁パネル材のパラペット部の取付下地材として構成される場合の第２実施形態を示す断面説明図、図７は図６の平面説明図、図８は本発明に係る方立て材固定金物の第２実施形態の構成を示す斜視説明図である。尚、前記第１実施形態と同様に構成したものは同一の符号を付して説明を省略する。
【００３０】
本実施形態の方立て材固定金物Ａは、図８に示すように、リブ片４ａ，４ｂが略方形状に形成された以外は前記第１実施形態の方立て材固定金物Ａと略同様な構成である。梁材１の上フランジ１ａの上面に通しアングル材２の水平片２ａが溶接により固定され、方立て材固定金物Ａのスリット4a1，4b1を通しアングル材２の起立片２ｂに嵌挿すると共に切欠部4a2，4b2を水平片２ａに嵌装して方立て材固定金物Ａを通しアングル材２及び梁材１の上フランジ１ａに当接し、各接合部を溶接により固定する。
【００３１】
そして、図７に示すように、一対のアングル材からなる方立て材３の一片を背中合わせにした状態で該方立て材３の夫々の他片を方立て材固定金物Ａの方立て材固定片５に溶接により固定する。
【００３２】
一方、壁パネル材６の内部縦方向に埋設されたアンカー鋼棒８にＯボルト９が挿通されており、通しアングル材２の起立片２ｂにスライド可能に係合する自重受け金物10に壁パネル材６の下面を載置すると共に断面Ｚ字型のイナズマプレート31を方立て材３に係合した状態でＯボルト９に挿通してボルト止めし、壁パネル材６を方立て材３にスライド可能に固定する。
【００３３】
尚、方立て材固定金物Ａを介して方立て材３に固定された壁パネル材６の下部に配置されるパネル材は従来構法により固定されるため説明を省略する。
【００３４】
前記各実施形態では、方立て材固定金物Ａが１枚の方立て材固定片５に２枚のリブ片４ａ，４ｂが略直交して接続されて断面コ字型に形成された場合の一例について説明したが、他の構成として１枚の方立て材固定片５に１枚のリブ片（面材）が略直交して接続されて断面Ｔ字型に形成された方立て材固定金物であっても良いし、１枚の方立て材固定片５に他の複数枚のリブ片（面材）が略直交して接続された構成でも良い。
【００３５】
また、前記各実施形態では、壁パネル材６及び腰壁パネル材22がスライド構法により取り付けられる一例について説明したが、本発明はこれに限定されるものではなく、他の種々の構法に適用することが出来るものである。
【００３６】
また、各種支持部材に方立て材固定金物Ａを介して固定された方立て材３にパネル以外の各種部材が取り付けられる場合にも本発明が適用可能であることは言うまでもない。
【００３７】
【発明の効果】
本発明に係る方立て材固定構造によれば、方立て材が固定された方立て材固定金物の第２の面材と、支持部材の取付面とが、該第２の面材に略直交して接続された第１の面材を介在して固定されたことで簡単な構造で支持部材に対して方立て材を強固に固定することが出来る。特に支持部材に回転モーメントが作用した場合でも回転しないような十分な強度を得ることが出来る。
【００３８】
また、方立て材固定金物のスリットを支持部材の取付面に取り付けられたアングル材の起立片に嵌挿して固定したことで方立て材固定金物とアングル材とをより強固に固定することが出来る。特に支持部材に回転モーメントが作用した場合でも回転しないような十分な強度を得ることが出来る。また、方立て材固定金物の位置合せが容易である。
【００３９】
また、方立て材が壁パネル材のパラペット部の取付下地材、或いは開口部に設けられる腰壁パネル材の取付下地材として構成された場合には該方立て材にパネルを取り付ける場合の施工が容易に出来る。
【図面の簡単な説明】
【図１】  本発明に係る方立て材固定金物を用いた方立て材固定構造の一例として、方立て材が壁パネル材のパラペット部の取付下地材として構成される場合の第１実施形態を示す断面説明図である。
【図２】  図１の平面説明図である。
【図３】  本発明に係る方立て材固定金物の第１実施形態の構成を示す斜視説明図である。
【図４】  （ａ）〜（ｃ）は第１実施形態の方立て材固定金物の構成を示す正面図、側面図及び平面図である。
【図５】  本発明に係る方立て材固定金物を用いた方立て材固定構造の一例として、方立て材が開口部に設けられる腰壁パネル材の取付下地材として構成される場合の一例を示す断面説明図である。
【図６】  本発明に係る方立て材固定金物を用いた方立て材固定構造の一例として、方立て材が壁パネル材のパラペット部の取付下地材として構成される場合の第２実施形態を示す断面説明図である。
【図７】  図６の平面説明図である。
【図８】  本発明に係る方立て材固定金物の第２実施形態の構成を示す斜視説明図である。
【図９】  従来例を説明する図である。
【図10】  従来例を説明する図である。
【符号の説明】
Ａ…方立て材固定金物
１…梁材
１ａ…上フランジ
２…通しアングル材
２ａ…水平片
２ｂ…起立片
３…方立て材
４ａ，４ｂ…リブ片
4a1，4b1…スリット
4a2，4b2…切欠部
５…方立て材固定片
６…壁パネル材
７…補強鋼材
８…アンカー鋼棒
９…Ｏボルト
10…自重受け金物
21…裏当て材
22…腰壁パネル材
23…開口部
31…イナズマプレート
【図１】
0003989255.tif 000002
【図２】
0003989255.tif 000003
【図３】
0003989255.tif 000004
【図４】
0003989255.tif 000005
【図５】
0003989255.tif 000006
【図６】
0003989255.tif 000007
【図７】
0003989255.tif 000008
【図８】
0003989255.tif 000009
【図９】
0003989255.tif 000010
【図１０】
0003989255.tif 000011